(57)【特許請求の範囲】
【請求項１】
商用電力系統から住宅に供給される電力を計測する第１計測手段と、
分散型電源によって発電された電力を計測する第２計測手段と、
前記住宅に設置される複数の電気機器それぞれに供給される電力を計測する第３計測手段と、
前記第１計測手段及び前記第２計測手段の計測結果を記憶するとともに、前記第３計測手段の計測結果を、前記電気機器の位置情報とともに記憶する記憶手段と、
前記記憶手段に記憶された前記計測結果を示す画像を、ユーザから指示された形態で、表示手段に表示する処理装置と、
前記表示手段に表示される画像を構成するオブジェクトを選択するための選択手段と、
を備え、
前記処理装置は、
初期画像として、前記表示手段に表示される画像である、現在の電力利用状況を示す画像と、節電目標を示す画像と、機器別消費電力量を示す画像と、前記住宅に供給される電力以外の資源の消費量を示す画像との一覧を、前記表示手段に表示し、
前記選択手段を用いて、前記ユーザによって画像を構成する前記オブジェクトが選択されるごとに、前記表示手段に表示されている画像を、選択された前記オブジェクトに応じた新たな画像に変更するエネルギー管理システム。
【請求項２】
商用電力系統から住宅に供給される電力を計測する第１計測手段と、
分散型電源によって発電された電力を計測する第２計測手段と、
前記住宅に設置される複数の電気機器それぞれに供給される電力を計測する第３計測手段と、
前記第１計測手段及び前記第２計測手段の計測結果を記憶するとともに、前記第３計測手段の計測結果を、前記電気機器の位置情報とともに記憶する記憶手段と、
前記記憶手段に記憶された前記計測結果を示す画像を、ユーザから指示された形態で、表示手段に表示する処理装置と、
前記表示手段に表示される画像を構成するオブジェクトを選択するための選択手段と、
を備え、
前記処理装置は、
初期画像として、前記表示手段に表示される画像の一覧を、前記表示手段に表示し、
前記選択手段を用いて、前記ユーザによって画像を構成する前記オブジェクトが選択されるごとに、前記表示手段に表示されている画像を、選択された前記オブジェクトに応じた新たな画像に変更し、
前記複数の電気機器の消費電力の総和に対する前記位置情報に示される位置ごとの消費電力の割合と、前記複数の電気機器の消費電力の総和に対する前記電気機器を使用するユーザごとの消費電力の割合と、を円グラフにして表示し、
前記記憶手段は、
前記電気機器と前記電気機器を使用するユーザとの対応関係を示す対応情報を記憶するエネルギー管理システム。
【請求項３】
前記処理装置は、前記第３計測手段の計測結果を、前記電気機器ごとに、一覧表示する請求項１又は２に記載のエネルギー管理システム。
【請求項４】
前記処理装置は、前記第３計測手段の計測結果を、前記位置情報に示される位置ごとに、一覧表示する請求項１乃至３のいずれか一項に記載のエネルギー管理システム。
【請求項５】
前記処理装置は、前記第３計測手段の計測結果を、前記位置に応じた系統の色で示されるグラフとして、前記表示手段に表示する請求項４に記載のエネルギー管理システム。
【請求項６】
前記記憶手段は、前記電気機器と前記電気機器を使用するユーザとの対応関係を示す対応情報を記憶し、
前記処理装置は、前記対応情報に基づいて、前記第３計測手段の計測結果を、前記電気機器を使用するユーザごとに、一覧表示する請求項１乃至５のいずれか一項に記載のエネルギー管理システム。
【請求項７】
前記処理装置は、前記第３計測手段の計測結果を、前記電気機器を使用するユーザに応じた系統の色で示されるグラフとして、前記表示手段に表示する請求項６に記載のエネルギー管理システム。
【請求項８】
前記住宅に供給される水道又はガスの消費量を計測する第４計測手段を備え、
前記処理装置は、前記第４計測手段の計測結果を示す画像を、ユーザから指示された形態で表示手段に表示する請求項１乃至７のいずれか一項に記載のエネルギー管理システム。
【請求項９】
商用電力系統から住宅に供給される電力の計測結果、分散型電源によって発電された電力の計測結果、及び前記住宅に設置される複数の電気機器それぞれに供給される電力の計測結果を記憶する記憶手段と、
前記記憶手段に記憶された前記計測結果を示す画像を、ユーザから指示された形態で、表示手段に表示する処理装置と、
を備え、
前記処理装置は、初期画像として、前記表示手段に表示される画像である、現在の電力利用状況を示す画像と、節電目標を示す画像と、機器別消費電力量を示す画像と、前記住宅に供給される電力以外の資源の消費量を示す画像との一覧を、前記表示手段に表示する表示装置。
【請求項１０】
商用電力系統から住宅に供給される電力を計測する第１計測工程と、
分散型電源によって発電された電力を計測する第２計測工程と、
前記住宅に設置される複数の電気機器それぞれに供給される電力を計測する第３計測工程と、
前記第１計測工程及び前記第２計測工程の計測結果を記憶手段に記憶する第１記憶工程と、
前記第３計測工程の計測結果を、前記電気機器の位置情報とともに前記記憶手段に記憶する第２記憶工程と、
前記記憶手段に記憶された前記計測結果を示す画像を、ユーザから指示された形態で、表示手段に表示し、初期画像として、前記表示手段に表示される画像である、現在の電力利用状況を示す画像と、節電目標を示す画像と、機器別消費電力量を示す画像と、前記住宅に供給される電力以外の資源の消費量を示す画像との一覧を、前記表示手段に表示する工程と、
前記ユーザによって画像を構成するオブジェクトが選択されるごとに、前記表示手段に表示されている画像を、選択された前記オブジェクトに応じた新たな画像に変更する工程と、
を含む表示方法。
【請求項１１】
コンピュータに、
住宅に供給される電力と分散型電源によって発電された電力の計測結果を記憶する手順、
前記住宅に設置される複数の電気機器それぞれに供給される電力の計測結果を、前記電気機器の位置情報とともに記憶する手順、
記憶した前記計測結果を示す画像を、ユーザから指示された形態で、表示し、初期画像として、前記表示する手順で表示される画像である、現在の電力利用状況を示す画像と、節電目標を示す画像と、機器別消費電力量を示す画像と、前記住宅に供給される電力以外の資源の消費量を示す画像との一覧を、表示する手順、
前記ユーザによって画像を構成するオブジェクトが選択されるごとに、前記表示する手順で表示されている画像を、選択された前記オブジェクトに応じた新たな画像に変更する手順、
を実行させるためのプログラム。
【発明の詳細な説明】
【技術分野】
【０００１】
本発明は、エネルギー管理システム、表示装置、表示方法及びプログラムに関する。
【背景技術】
【０００２】
近年、地球温暖化やエネルギー資源の枯渇などの問題への対応が急務となっており、ＣＯ２排出量の削減、或いはエネルギー消費量の削減を目的とする取り組みが重要視されている。このような背景から、一戸建て住宅や、マンション等の集合住宅についても、太陽光発電システムに代表される分散型発電システムの設置が進められている。
【０００３】
この種の分散型発電システムによって発電された電力は、その大部分が、発電システムが設置された建物で利用されるが、一部は、電力会社に売電される。そこで、発電システムで発電された電力と、商用電力系統から供給された電力とを比較可能に表示して、居住者に省エネに対する動機付けを行うシステムが提案されている（例えば特許文献１参照）。
【０００４】
特許文献１に開示されるシステムでは、太陽光発電システムによって発電された電力量を示す棒グラフと、住戸で消費された電力量を示す棒グラフとが、隣接して表示される。このため、居住者は、発電電力量と消費電力量とを容易に比較することが可能となる。
【先行技術文献】
【特許文献】
【０００５】
【特許文献１】特開２００８−１４１８４３号公報
【発明の概要】
【発明が解決しようとする課題】
【０００６】
電力についての省エネ化を推進する場合には、住戸に設置される電機設備各々の消費電力を個別に比較することで、効率よく省エネ化を推進することが可能になると考えられる。しかしながら、特許文献１に開示されたシステムでは、電気機器それぞれで消費された電力量を比較することができない。
【０００７】
また、住宅全体で使用されるエネルギーについての省エネ化を実現するためには、電力だけではなく、水道やガスなどの資源の消費量を抑制することも重要となる。しかしながら、上記特許文献に開示されるシステムでは、発電電力と消費電力に関する情報しか表示されない。このため、電力以外のエネルギーについての省エネ化を推進することが困難である。
【０００８】
本発明は、上述の事情の下になされたもので、住宅に設置される機器で消費されるエネルギーを、効果的に削減することを目的とする。
【課題を解決するための手段】
【０００９】
上記目的を達成するため、本発明は、商用電力系統から住宅に供給される電力を計測する第１計測手段と、分散型電源によって発電された電力を計測する第２計測手段と、住宅に設置される複数の電気機器それぞれに供給される電力を計測する第３計測手段と、第１計測手段及び第２計測手段の計測結果を記憶するとともに、第３計測手段の計測結果を、電気機器の位置情報とともに記憶する記憶手段と、記憶手段に記憶された計測結果を示す画像を、ユーザから指示された形態で、表示手段に表示する処理装置と、表示手段に表示される画像を構成するオブジェクトを選択するための選択手段と、を備え、処理装置は、初期画像として、表示手段に表示される画像である、現在の電力利用状況を示す画像と、節電目標を示す画像と、機器別消費電力量を示す画像と、住宅に供給される電力以外の資源の消費量を示す画像との一覧を、表示手段に表示し、選択手段を用いて、ユーザによって画像を構成するオブジェクトが選択されるごとに、表示手段に表示されている画像を、選択されたオブジェクトに応じた新たな画像に変更する。
【発明の効果】
【００１０】
本発明によれば、住宅に設置される複数の電気機器それぞれに供給される電力が、電気機器の位置情報とともに記憶される。このため、ユーザは、機器ごとに、或いは電機機器が設置される場所ごとに、電力消費量を見ることができる。これにより、ユーザの省エネ化に対する意識が高まり、結果的に、住宅に設置される機器で消費されるエネルギーを、効果的に削減することが可能となる。
【図面の簡単な説明】
【００１１】
【図１】本実施形態に係るエネルギー管理システムのブロック図である。
【図２】エネルギー管理システムが設置される住宅の概要を示す図である。
【図３】住宅に配置された電気機器と商用電力系統の系統図である。
【図４】補助記憶部に記憶された情報を模試的に示す図である。
【図５】初期画像を示す図である。
【図６】タッチ操作を説明するための図である。
【図７】機器別消費電力量を示す画像を示す図である。
【図８】ポップアップウインドを示す図である。
【図９】電気機器ごとの電力量の変化を示すグラフを含む画像を示す図である。
【図１０】タッチされた領域が強調表示された画像を示す図である。
【図１１】個別消費電力量を示す円グラフを含む図を示す図である。
【図１２】現在の電力利用状況を示す画面を示す図である。
【図１３】現在の電力利用状況を示す画面を示す図である。
【図１４】現在の電力利用状況を示す画面を示す図である。
【図１５】節電目標を表す画像を示す図である。
【図１６】ポップアップウインドを示す図である。
【図１７】ガス及び水道水の消費量の推移を表す画像を示す図である。
【図１８】売電実績を示す画像を示す図である。
【図１９】画像の遷移を説明するための図である。
【図２０】ＣＴの配置を示す図である。
【図２１】エネルギー管理システムの変形例を示す図である。
【発明を実施するための形態】
【００１２】
以下、本発明の一実施形態を図面を参照しつつ説明する。図１は、エネルギー管理システム１００のブロック図である。エネルギー管理システム１００は、内部が複数の区画に区分された住宅に設置される。このエネルギー管理システム１００は、ＨＥＭＳ（home energy management system）などに代表されるように、住宅で使用される電気機器等の監視及び制御に用いられるシステムである。
【００１３】
図２は、エネルギー管理システム１００が設置される住宅１０の概略図である。図２に示されるように、住宅１０は、例えば父親Ｈ１、母親Ｈ２、及び子供Ｈ３が居住する戸建て住宅である。この住宅１０は、内部が居室Ｒ１〜Ｒ４と、共用区画Ｘ１に区分されている。本実施形態では、居室Ｒ１の使用者は主として父親Ｈ１であり、居室Ｒ２の使用者は主として母親Ｈ２であり、居室Ｒ３の使用者は主として子供Ｈ３である。居室Ｒ４は、いわゆるキッチンとリビングが含まれる居室である。この居室Ｒ４は、父親Ｈ１、母親Ｈ２、及び子供Ｈ３が共通に使用する。また、共用区画Ｘ１は、トイレ、風呂、洗面所などを含む区画である。
【００１４】
居室Ｒ１には照明装置３１と空調装置４１が配置され、居室Ｒ２には照明装置３２と空調装置４２が配置され、居室Ｒ３には照明装置３３と空調装置４３が配置されている。そして、居室Ｒ４には、照明装置３４と空調装置４４と調理家電５１が配置され、共用区画Ｘ１には照明装置３５と洗濯乾燥機５２が配置されている。
【００１５】
住宅１０の屋根には発電装置２０が設けられている。発電装置２０は、太陽光を電気エネルギーに変換する太陽光発電装置である。この発電装置２０は、住宅１０の屋根に設置される太陽電池モジュールと、太陽電池モジュールを住宅１０の電力系統に連系させるためのインバータユニットなどを有している。
【００１６】
図３は、住宅１０に配置された電気機器と商用電力系統の系統図である。図３に示されるように、発電装置２０、照明装置３１〜３５、空調装置４１〜４４、調理家電５１、及び洗濯乾燥機５２それぞれは、商用電力系統に並列に接続されている。
【００１７】
エネルギー管理システム１００は、住宅１０に設置された電気機器で消費される電力、発電装置２０によって発電された電力などを、ユーザとしての父親Ｈ１、母親Ｈ２、子供Ｈ３に表示するための装置である。
【００１８】
図１に示されるように、エネルギー管理システム１００は、補助記憶部１０３に記憶されたプログラムを実行する制御部１０１と、制御部１０１の作業領域となる主記憶部１０２と、ユーザからの指令を受け付けるための入力部１０４と、ユーザに種々の情報を表示する表示部１０５と、インタフェース１０６に接続される電力計７１〜８４と、インタフェース１０６に接続されるガスメータ９１及び水道メータ９２と、上記各部を接続するシステムバス１０７とを有している。
【００１９】
制御部１０１は、補助記憶部１０３に記憶されているプログラムに従って、所定の処理を実行する。
【００２０】
主記憶部１０２は、ＲＡＭ（Random Access Memory）等を含んで構成される。制御部１０１に実行されるプログラムは、主記憶部１０２に展開される。
【００２１】
補助記憶部１０３は、磁気ディスク、半導体メモリ等の不揮発性メモリを含んで構成される。この補助記憶部１０３は、制御部１０１が実行する画像生成プログラムを記憶している。また、補助記憶部１０３は、電力計７１〜８４から出力された計測値を、インタフェース１０６を介して受信して、時系列的に記憶する。
【００２２】
入力部１０４は、タッチパネルや入力キーなどを有している。入力部１０４のタッチパネルは、表示部１０５に重ねて配置され、当該表示部１０５とともにＧＵＩ（Graphical User Interface）を構成する。ユーザからの指令は、入力部１０４を介して入力され、システムバス１０７を経由して制御部２１に通知される。
【００２３】
表示部１０５は、ＶＲＡＭ、液晶ディスプレイ（Liquid Crystal Display）などから構成されている。表示部１０５は、制御部２１の処理結果などを表示する。
【００２４】
図３に示されるように、電力計７１は、商用電力系統を住宅１０に引き込むための引き込み線に設けられている。この電力計７１は、商用電力系統から住宅１０に供給される電力を計測する。そして、計測した電力に応じた値の計測信号Ｓ１を出力する。
【００２５】
電力計７２も、電力計７１と同様に、商用電力系統を住宅１０に引き込むための引き込み線に設けられている。この電力計７２は、住宅１０から商用電力系統に供給される電力を計測する。そして、計測した電力に応じた値の計測信号Ｓ２を出力する。
【００２６】
電力計７３は、住宅１０に設置される発電装置２０の発電端に配置されている。そして、発電装置２０によって発電された電力を計測し、計測した電力に応じた値の計測信号Ｓ３を出力する。
【００２７】
電力計７４〜８４は、例えば、居室Ｒ１〜Ｒ４、及び共用区画Ｘ１に配置された電気機器が接続されるレセプタクルなどに配置されている。そして、各機器に供給される電力を計測し、計測した電力に応じた値の計測信号Ｓ４〜Ｓ１４を出力する。
【００２８】
エネルギー管理システム１００では、電力計７４，７６，７８，８０，８３によって、照明装置３１〜３５に供給される電力、すなわち、照明装置３１〜３５で消費される電力が計測される。また、電力計７５，７７，７９，８１によって、空調装置４１〜４４で消費される電力が計測される。そして、電力計８２，８４によって、調理家電５１，洗濯乾燥機５２で消費される電力が計測される。
【００２９】
ガスメータ９１は、住宅１０へ引き込まれるガス管に設けられている。ガスメータ９１は、住宅１０へ供給されるガスの流量を計測する。そして、計測した流量に応じた値の計測信号Ｓ１５を出力する。
【００３０】
水道メータ９２は、住宅１０へ引き込まれる水道管に設けられている。水道メータ９２は、住宅１０へ供給される水道水の流量を計測する。そして、計測した流量に応じた値の計測信号Ｓ１５を出力する。
【００３１】
電力計７１〜８４から出力される計測信号Ｓ１〜Ｓ１４、ガスメータ９１から出力される計測信号Ｓ１５、及び水道メータ９２から出力される計測信号Ｓ１６は、インタフェース１０６に受信される。制御部１０１は、インタフェース１０６に受信された計測信号Ｓ１〜Ｓ１４に示される電力Ｐ１（ｔ）〜Ｐ１４（ｔ）、計測信号Ｓ１５，Ｓ１６に示される流量Ｆ１（ｔ），Ｆ２（ｔ）を読み出して、時系列的に補助記憶部１０３に記憶させる。ｔは、補助記憶部１０３に記憶された時刻であり、Ｐｎ（ｔ），Ｆ１（ｔ），Ｆ２（ｔ）は時刻ｔにおける電力Ｐｎ，流量Ｆ１、Ｆ２を示す。なお、ｎは１から１４までの整数である。
【００３２】
図４は、補助記憶部１０３に記憶された電力Ｐ１（ｔ）〜Ｐ１４（ｔ）、流量Ｆ１（ｔ），Ｆ２（ｔ）を模試的に示す図である。図４に示されるように、電力Ｐ１（ｔ）〜Ｐ１４（ｔ）等は、位置情報、機器情報、及びユーザ情報と関連付けられて時系列的に記憶される。
【００３３】
位置情報は、電力Ｐｎ（ｔ）を出力する電力計の計測対象が位置する場所を示す。例えば、位置情報「引き込み線」は、電力Ｐ１（ｔ），Ｐ２（ｔ）が引き込み線を通過する電力であることを示す。また、位置情報「発電端」は、電力Ｐ３（ｔ）が、発電装置２０が発電した電力であることを示す。また、位置情報「居室Ｒ１〜Ｒ４」，「共用区画」は、電力Ｐ４（ｔ）〜Ｐ１４（ｔ）が、居室Ｒ１〜Ｒ４、又は共用区画Ｘ１に設置された電気機器によって消費された電力であることを示す。同様に、位置情報「ガス管」は、流量ＦＬ１（ｔ）が、住宅１０に供給されたガスの量であることを示し、位置情報「水道管」は、流量ＦＬ２（ｔ）が、住宅１０に供給された水道水の量であることを示す。
【００３４】
機器情報は、電力Ｐｎ（ｔ）を出力する電力計の計測対象を示す。例えば、機器情報「発電装置」は、電力Ｐ３（ｔ）の計測対象が発電装置２０であることを示す。同様に、機器情報「照明装置」は、電力Ｐ４（ｔ），Ｐ６（ｔ），Ｐ８（ｔ），Ｐ１０（ｔ），Ｐ１３（ｔ）の計測対象が照明装置３１〜３５であることを示す。機器情報「空調装置」は、電力Ｐ５（ｔ），Ｐ７（ｔ），Ｐ９（ｔ），Ｐ１１（ｔ）の計測対象が空調装置４１〜４４であることを示す。また、機器情報「調理家電」は、電力Ｐ１２（ｔ）の計測対象が調理家電５１であることを示し、機器情報「洗濯乾燥機」は、電力Ｐ１４（ｔ）の計測対象が洗濯乾燥機５２であることを示す。
【００３５】
ユーザ情報は、電力Ｐｎ（ｔ）の計測対象の電気機器のユーザを示す。例えば、ユーザ情報「父親」は、電力Ｐ４（ｔ）の計測対象の照明装置３１と、電力Ｐ５（ｔ）の計測対象の空調装置４１のユーザが父親Ｈ１であることを示す。ユーザ情報「母親」は、電力Ｐ６（ｔ）の計測対象の照明装置３２と、電力Ｐ７（ｔ）の計測対象の空調装置４２と、電力Ｐ１２（ｔ）の計測対象の調理家電５１と、電力Ｐ１４（ｔ）の洗濯乾燥機５２のユーザが母親Ｈ２であることを示す。ユーザ情報「子供」は、電力Ｐ８（ｔ）の計測対象の照明装置３３と、電力Ｐ９（ｔ）の計測対象の空調装置４３のユーザが子供Ｈ３であることを示す。
【００３６】
次に、上述のように構成されたエネルギー管理システム１００の動作について説明する。エネルギー管理システム１００が起動されると、制御部１０１は、補助記憶部１０３から表示部１０５に表示する画像を生成するためのプログラムを読み出して実行する。
【００３７】
そして、最初に表示部１０５に、初期画像ＰＨ１を表示する。図５は、初期画像ＰＨ１の一例を示す図である。図５に示されるように、初期画像ＰＨ１には、遷移先の４つの画像ＰＨ２〜ＰＨ５が表示される。エネルギー管理システム１００では、現在の電力利用状況を示す画像ＰＨ２、節電目標を示す画像ＰＨ３、機器別消費電力量を示す画像ＰＨ４、ガス・水道の消費量を示す画像ＰＨ５が表示される。
【００３８】
例えば図６に示されるように、機器別消費電力量を示す画像ＰＨ４がユーザにタッチされると、制御部１０１は、図７に示されるように、機器別消費電力量を示す画像ＰＨ４を拡大して表示する。
【００３９】
機器別消費電力量を示す画像ＰＨ４には、円グラフが示される。この円グラフは、機器ごとに消費された電力を示す８つの扇状のグラフィックパターンＧＰ１〜ＧＰ８から構成される。画像ＰＨ４に示される円グラフでは、グラフィックパターンＧＰ１〜ＧＰ８の面積が各電気機器の消費電力の割合を示している。消費電力の割合とは、電気機器の消費電力を、各電気機器の消費電力の和で除したものである。
【００４０】
本実施形態では、グラフィックパターンＧＰ１は最も消費電力が大きい電気機器の消費電力の割合を示し、グラフィックパターンＧＰ２が２番目に消費電力が大きい電気機器の消費電力の割合を示し、グラフィックパターンＧＰ３が３番目に消費電力が大きい電気機器の消費電力の割合を示し、グラフィックパターンＧＰ４が４番目に消費電力が大きい電気機器の消費電力の割合を示し、グラフィックパターンＧＰ５が５番目に消費電力が大きい電気機器の消費電力の割合を示し、グラフィックパターンＧＰ６が６番目に消費電力が大きい電気機器の消費電力の割合を示し、グラフィックパターンＧＰ７が７番目に消費電力が大きい電気機器の消費電力の割合を示している。また、グラフィックパターンＧＰ８は、消費電力の割合の大きさが８番目以降の電気機器の消費電力の総和の割合を示している。
【００４１】
これにより、画像ＰＨ４では、上位７つの電気機器での消費電力の割合が、比較可能に表示されることになる。例えば、図７に示される円グラフからは、最も消費電力が大きい電気機器が空調装置４４であり、空調装置４１、調理家電５１、空調装置４３、洗濯乾燥機５２、空調装置４２、照明装置３４の順に消費電力が小さくなっていることを容易に把握することができる。
【００４２】
各機器が消費した電力量については、図４に示される電力Ｐ３（ｔ）〜Ｐ１４（ｔ）が、範囲を２４時間として積分されることにより算出される。制御部１０１は、電力Ｐ３（ｔ）〜Ｐ１４（ｔ）に基づいて、各機器の電力量Ｐｈ３〜Ｐｈ１４を求める。そして、電力量Ｐｈ３〜Ｐｈ１４の割合を示すグラフィックパターンＧＰ１〜ＧＰ８を、それぞれ表示部１０５の画面に配置することにより、図７に示される円グラフを生成する。
【００４３】
本実施形態では、円グラフを構成するグラフィックパターンＧＰ１〜ＧＰ８の色が予め設定されており、大きい順に所定の色、或いはパターンで塗りつぶされる。また、図７では、一例として３月６日の実績が表示されているが、ユーザは、画像中の（３月６日）のテキストをタッチして図８に示されるように、カレンダーが示すポップアップウインドＰＷ１を表示させることができる。そして、このポップアップウインドＰＷ１の日付を選択することにより、所望の月日の実績を示す円グラフを表示させることができる。
【００４４】
ユーザは、画像ＰＨ４をタッチすることで、図９に示される画像ＰＨ４ａを表示部１０５に表示させることができる。画像ＰＨ４ａは、電気機器ごとの電力量の変化を示すグラフである。画像ＰＨ４ａのグラフでは、横軸と折れ線に挟まれる領域Ａ１、折れ線同士に挟まれる領域Ａ２〜Ａ８の面積が電力量を表す。また、領域Ａ１〜Ａ８の内容は図７のグラフィックパターンＧＰ１〜ＧＰ８の内容を具体化したものである。具体的には、グラフィックパターンＧＰ１〜ＧＰ８は、消費電力の割合を示すものであるが、領域Ａ１〜Ａ８は、消費電力の大きさを示すものである。
【００４５】
各電気機器の消費電力の大きさは、図４に示される電力Ｐ４（ｔ）〜Ｐ１４（ｔ）で示される。このため、制御部１０１は、電力Ｐ４（ｔ）〜Ｐ１４（ｔ）に基づいて、画像ＰＨ４ａのグラフを生成する。エネルギー管理システム１００では、グラフィックパターンＧＰ１〜ＧＰ８の色又は塗りつぶしパターンは、領域Ａ１〜Ａ８の色及び塗りつぶしパターンと一致している。
【００４６】
また、エネルギー管理システム１００では、制御部１０１は、電力Ｐ１（ｔ）と電力Ｐ２（ｔ）とを比較する。そして、制御部１０１は、電力Ｐ１（ｔ）の値が正である時間帯に、買電を示すマークＭ１を表示する。一方、制御部１０１は、電力Ｐ２（ｔ）の値が正である時間帯に、売電を示すマークＭ２を表示する。
【００４７】
また、制御部１０１は、ユーザによって、領域Ａ１〜Ａ８がタッチされたときには、図１０に示されるように、タッチされた領域を強調表示するとともに、タッチされた領域に対応する電気機器の名称などを表示する。
【００４８】
制御部１０１は、ユーザによって、機器別消費電力を示す画像ＰＨ４ａがタッチされると、図１１に示されるように、個別消費電力量を示す円グラフを表示する。この円グラフでは、グラフィックパターンＧＰ１１〜ＧＰ１３によって、父親Ｈ１、母親Ｈ２、子供Ｈ３に割り当てられた電気機器の消費量の割合が示され、グラフィックパターンＧＰ１４によって、父親Ｈ１、母親Ｈ２、子供Ｈ３のいずれにも割り当てられていない電気機器の消費電力の割合が示される。また、グラフィックパターンＧＰ２１〜ＧＰ２５によって、居室Ｒ１〜Ｒ４及び共用区画Ｘ１での消費電力の割合が表示される。
【００４９】
場所毎に消費される電力については、図４の位置情報を利用して算出することができる。制御部１０１は、例えば、居室Ｒ１で消費された電力を算出する場合には、電力Ｐ４（ｔ）と電力Ｐ５（ｔ）の和を用いて、居室Ｒ１で消費された電力量を算出し、算出した電力量に応じた大きさのグラフィックパターンを形成する。
【００５０】
ユーザ毎に消費される電力については、図４のユーザ情報を利用して算出することができる。制御部１０１は、例えば、父親Ｈ１に割り当てられた電気機器が消費した電力を算出する場合には、電力Ｐ４（ｔ）と電力Ｐ５（ｔ）の和を用いて、父親Ｈ１が消費した電力量を算出し、算出した電力量に応じた大きさのグラフィックパターンを形成する。
【００５１】
そして、制御部１０１は上述したように形成したグラフィックパターンＧＰ１１〜ＧＰ１４，ＧＰ２１〜ＧＰ２５を、表示部１０５の画面に配置することにより、画像ＰＨ４ｂを生成する。
【００５２】
本実施形態では、居室Ｒ１の使用者が父親Ｈ１であり、居室Ｒ２の使用者が母親Ｈ２であり、居室Ｒ３の使用者が子供Ｈ３である。このため、相互に関連する、グラフィックパターンＧＰ１１とグラフィックパターンＧＰ２２、グラフィックパターンＧＰ１２とグラフィックパターンＧＰ２３、グラフィックパターンＧＰ１３とグラフィックパターンＧＰ２５が同系色の色、或いは同系統のパターンで塗りつぶされる。
【００５３】
この画面が表示されているときには、ユーザは、日付を示すテキストが示される領域をタッチすることで、図８に示されるポップアップウインドＰＷ１を表示させ、このポップアップウインドＰＷ１を介して年月日を指定することで、所望の月の情報を画像ＰＨ４ｂとして表示させることができる。
【００５４】
エネルギー管理システム１００では、画像ＰＨ４ｂがユーザによってタッチされると、表示部１０５に図５に示される初期画面が表示される。
【００５５】
図５に示される初期画像ＰＨ１が表示されているときに、ユーザによって画像ＰＨ２がタッチされると、制御部１０１は、一例として図１２に示されるように、現在の電力利用状況を示す画像ＰＨ２を拡大して表示する。現在の電力利用状況としては、態様１、態様２、態様３の３つの態様が考えられる。
【００５６】
態様１は、発電装置２０によって発電された電力で住宅１０に設置された電気機器を稼動するとともに、余剰電力を商用電力系統に潮流させることによって売電する態様である。態様２は、発電装置２０によって発電された電力と商用電力系統からの電力双方で、住宅１０に設置された電気機器を稼動する態様である。態様３は、商用電力系統から供給される電力で、住宅１０に設置された電気機器を稼動する態様である。
【００５７】
図１２は、態様１における現在の電力利用状況を示す画像ＰＨ２ａである。図１２に示されるように、画像ＰＨ２ａは、発電電力を示す棒グラフＢ１、消費電力を示す棒グラフＢ２、売電電力を示す棒グラフＢ３から構成される。制御部１０１は、図４に示される電力Ｐ３（ｔ）の値に応じた大きさの棒グラフＢ１と、電力Ｐ２（ｔ）の値に応じた大きさの棒グラフＢ３と、電力Ｐ３（ｔ）と電力Ｐ２（ｔ）との差に応じた大きさの棒グラフＢ２を、表示部１０５の画面に配置することにより、画像ＰＨ２ａを生成する。
【００５８】
図１３は、態様２における現在の電力利用状況を示す画像ＰＨ２ｂである。図１３に示されるように、画像ＰＨ２ｂは、発電電力を示す棒グラフＢ１、消費電力を示す棒グラフＢ２、売電電力を示す棒グラフＢ３から構成される。制御部１０１は、図４に示される電力Ｐ３（ｔ）の値に応じた大きさの棒グラフＢ１と、電力Ｐ２（ｔ）の値に応じた大きさの棒グラフＢ３と、電力Ｐ３（ｔ）と電力Ｐ２（ｔ）との和に応じた大きさの棒グラフＢ２を、表示部１０５の画面に配置することにより、画像ＰＨ２ａを生成する。
【００５９】
図１４は、態様３における現在の電力利用状況を示す画像ＰＨ２ｃである。図１４に示されるように、画像ＰＨ２ｃは、消費電力を示す棒グラフＢ２、売電電力を示す棒グラフＢ３から構成される。制御部１０１は、図４に示される電力Ｐ２（ｔ）の値に応じた大きさの棒グラフＢ３、Ｂ２を、表示部１０５の画面に配置することにより、画像ＰＨ２ａを生成する。
【００６０】
エネルギー管理システム１００では、画像ＰＨ２ａ〜ＰＨ２ｃがユーザによってタッチされると、表示部１０５に図５に示される初期画面が表示される。
【００６１】
図５に示される初期画像ＰＨ１が表示されているときに、ユーザによって画像ＰＨ３がタッチされると、制御部１０１は、図１５に示されるように、節電目標を示す画像ＰＨ３を拡大して表示する。節電目標を示す画像ＰＨ３には、例えば昨年の１ヶ月あたりの電力消費量を示す棒グラフＢ４と、今月の電力消費量を示す棒グラフＢ５と、節電目標を示すラインＬＮが示される。
【００６２】
制御部１０１は、例えば、電力Ｐ１（ｔ）の積分した値に、単位電力量あたりの料金を乗じて得られる値に対応する大きさの各棒グラフＢ４，Ｂ５を、表示部１０５の画面に配置するとともに、入力部１０４を介して入力された節電目標を示すラインＬＮを、表示部１０５の画面に配置することにより、画像ＰＨ３を生成する。
【００６３】
この画面が表示されているときには、ユーザは、棒グラフＢ４の下方に示されるテキストが示される領域をタッチすることで、図８に示されるポップアップウインドＰＷ１を表示させ、このポップアップウインドＰＷ１を介して年月日を指定することで、所望の月の消費電力量を示す棒グラフＢ５を表示させることができる。
【００６４】
また、制御部１０１は、ユーザによって、棒グラフＢ４，Ｂ５がタッチされたときには、図１６に示されるように、図７の画像ＰＨ４に示される円グラフが示されるポップアップウインドＰＷ２を表示させる。
【００６５】
エネルギー管理システム１００では、画像ＰＨ３がユーザによってタッチされると、表示部１０５に図５に示される初期画面が表示される。
【００６６】
図５に示される初期画像ＰＨ１が表示されているときに、ユーザによって画像ＰＨ５がタッチされると、制御部１０１は、図１７に示されるように、ガス及び水道水の消費量の推移を示す画像ＰＨ５を拡大して表示する。ガス及び水道水の消費量を示す画像ＰＨ４には、ガスと水道水の流量の時間的変化を示す線グラフＬＧ１，ＬＧ２が示される。
【００６７】
制御部１０１は、ガスの流量Ｆ１（ｔ）に対応する線グラフＬＧ１と、水道水の流量Ｆ２（ｔ）に対応する線グラフＬＧ２を、表示部１０５の画面に配置することにより、画像ＰＨ３を生成する。
【００６８】
エネルギー管理システム１００では、画像ＰＨ４ｂがユーザによってタッチされると、表示部１０５に図５に示される初期画面が表示される。
【００６９】
以上説明したように、本実施形態では、初期画像ＰＨ１を構成する画像ＰＨ２〜ＰＨ５をタッチすることで、蓄積されたデータの内容を、所望の情報を示す画像ＰＨ１〜ＰＨ４等として表示させることができる。このため、各画像ＰＨ１〜ＰＨ４等を視認することで、ユーザそれぞれの省エネ化に対する意識が高まり、結果的に住宅１０に設置される電気機器で消費されるエネルギーを効果的に削減することが期待できる。
【００７０】
本実施形態では、図７の画像ＰＨ４，図９の画像ＰＨ４ａに示されるように、電気機器ごとに消費電力が表示される。このため、ユーザは、どの電気機器についての省エネ行動が最も効果的であるかを容易に認識することが可能となる。これにより、エネルギーを効果的に削減することが可能となる。
【００７１】
本実施形態では、図１１の画像ＰＨ４ｂに示されるように、住宅１０の区画（Ｒ１〜Ｒ４，Ｘ１）ごとに消費電力が表示される。このため、ユーザは、どの区画についての省エネ行動が最も効果的であるかを容易に認識することが可能となる。これにより、エネルギーを効果的に削減することが可能となる。
【００７２】
本実施形態では、図１１の画像ＰＨ４ｂに示されるように、ユーザ（Ｈ１，Ｈ２，Ｈ３）ごとに消費電力が表示される。このため、ユーザは、誰の省エネ行動が最も効果的であるかを容易に認識することが可能となる。これにより、エネルギーを効果的に削減することが可能となる。
【００７３】
なお、本実施形態では、表示部１０５、制御部１０１、主記憶部１０２、補助記憶部１０３により、本発明に係る表示装置が構成される。
【００７４】
以上、本発明の実施形態について説明したが、本発明は各実施形態によって限定されるものではない。例えば、住宅１０が居室Ｒ１〜Ｒ４と共用区画Ｘ１の５つに区分されている場合について説明した。これに限らず、住宅１０は、６つ以上の区画に区分されていてもよい。
【００７５】
上記実施形態において、節電目標の設定の際に、例えば図１８に示されるように、売電実績を示す画像ＰＨ８を表示することとしてもよい。各棒グラフは、電力Ｐ１（ｔ），電力Ｐ２（ｔ）から求めることができ、零を示す線から下方に延びる棒グラフが買電電力量を示し、零を示す線から上方に延びる棒グラフが売電電力量を示す。売電実績を確認することで、ユーザは、正確に省エネの目標を設定することが可能となる。
【００７６】
上記実施形態では、図１９に示されるように、表示部１０５に表示される画像が、画像ＰＨ１、画像ＰＨ２ａ，ＰＨ２ｂ，ＰＨ２ｃの順に遷移するか、画像ＰＨ１、画像ＰＨ３の順に遷移するか、画像ＰＨ１、画像ＰＨ４、画像ＰＨ４ａ、画像ＰＨ４ｂの順に遷移するか、画像ＰＨ１、画像ＰＨ５の順に遷移する場合について説明した。表示部１０５に表示される画像が遷移する順番は、図１９に示される場合に限られるものではなく、ユーザによって任意に設定することが可能である。
【００７７】
上記実施形態では、図７等に示されるように円グラフを構成するグラフィックパターンＧＰ１〜ＧＰ８が、面積の大きい順に配列された。これに限らず、ユーザからの指示にもとづいて、配列順を変更するようにしてもよい。
【００７８】
上記実施形態では、図７等に示されるように、消費電力が少ない電気機器における消費電力も、グラフィックパターンＧＰ８によって表示された。これに限らず、消費電力が特に多い電気機器についてのみ、その消費電力をグラフィックパターンで表示することとしてもよい。また、同じ区画の電気機器についてのグラフィックパターンについては、同系統の色やパターンで塗りつぶすのが望ましい。さらに、消費電力の変動が多い電気機器についてのグラフィックパターンの色を、特定の色やパターンで塗りつぶすこととしてもよい。
【００７９】
上記実施形態では、図１及び図３に示されるように、発電装置２０によって発電される電力、照明装置３１〜３５、空調装置４１〜４４、調理家電５１、洗濯乾燥機５２で消費される電力、商用電力系統から住宅１０へ供給される電力等が、電力計７１〜８４によって計測されることとした。本発明はこれに限定されるものではない。
【００８０】
例えば、図２０に示されるように、発電装置２０、照明装置３１〜３５、空調装置４１〜４４、調理家電５１、洗濯乾燥機５２などの各機器の引き込み線に設けられたＣＴ（Current Transformer）８５を用いて、各機器での電力を計測することとしてもよい。
【００８１】
図２０に示されるように、ＣＴ８５それぞれの二次側は、電力計測装置８６に接続される。電力計測装置８６は、各ＣＴ８５の二次電流を監視する。そして、図２１に示されるように、各機器についての電力を示す計測信号Ｓ１〜Ｓ１４を、インタフェース１０６へ出力する。これにより、エネルギー管理システム１００の制御部１０１は、各機器での電力情報を、表示部１０５へ表示することが可能となる。
【００８２】
また、上記電力の計測手段は一例であり、例えば各機器が例えば消費電力を計測する機能を有している場合には、各機器によって計測された電力を示す情報を、当該機器から取得することとしてもよい。
【００８３】
上記実施形態では、入力部１０４と表示部１０５はＧＵＩを構成するものとした。これに限らず、入力部１０４と表示部１０５の機能をスマートホンなどの通信端末を用いて実現してもよい。
【００８４】
上記実施形態では、住宅１０に設置される電気機器として、照明装置、空調装置、調理家電、洗濯乾燥機を例にあげて説明した。これに限らず、住宅１０に設置される電気機器とてしてはエコキュートなどが考えられる。
【００８５】
上記実施形態における各画像Ｐ１〜Ｐ４等は、一例であって、本発明は、これに限定されるものではない。
【００８６】
上記実施形態に係るエネルギー管理システム１００の機能は、専用のハードウェアによっても、また、通常のコンピュータを用いても実現することができる。
【００８７】
補助記憶部に記憶されているプログラムは、フレキシブルディスク、ＣＤ−ＲＯＭ（Compact Disk Read-Only Memory）、ＤＶＤ（Digital Versatile Disk）、ＭＯ（Magnet-Optical Disk）等のコンピュータ読み取り可能な記録媒体に格納して配布され、コンピュータにインストールされたものであってもよい。
【００８８】
また、プログラムは、通常インターネット等の通信ネットワーク上の所定のサーバ装置が有するディスク装置等に格納されており、必要に応じてダウンロードされたものであってもよい。
【００８９】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００９０】
本発明のエネルギー管理システムはエネルギーの管理に適している。本発明の表示装置、表示方法、及びプログラムは、電力の利用状況の表示に適している。
【符号の説明】
【００９１】
１０  住宅、２０  発電装置、２１  制御部、３１〜３５  照明装置、４１〜４４  空調装置、５１  調理家電、５２  洗濯乾燥機、７１〜８４  電力計、８５  ＣＴ、８６  電力計測装置、９１  ガスメータ、９２  水道メータ、１００  エネルギー管理システム、１０１  制御部、１０２  主記憶部、１０３  補助記憶部、１０４  入力部、１０５  表示部、１０６  インタフェース、１０７  システムバス、Ａ１〜Ａ８  領域、Ｂ１〜Ｂ５  棒グラフ、ＧＰ１〜ＧＰ８，ＧＰ１１〜ＧＰ１４，ＧＰ２２〜ＧＰ２５  グラフィックパターン、Ｈ１  父親、Ｈ２  母親、Ｈ３  子供、ＬＧ１，ＬＧ２  線グラフ、Ｍ１，Ｍ２  マーク、ＰＨ１〜ＰＨ８  画像、ＰＷ１，ＰＷ２  ポップアップウインド、ＰＨ２ａ，ＰＨ２ｂ，ＰＨ２ｃ，ＰＨ４ａ，ＰＨ４ｂ  画像、Ｒ１〜Ｒ４  居室、Ｓ１〜Ｓ１６  計測信号、Ｘ１  共用区画。
【図１】
0005892982.tif 000002
【図２】
0005892982.tif 000003
【図３】
0005892982.tif 000004
【図４】
0005892982.tif 000005
【図５】
0005892982.tif 000006
【図６】
0005892982.tif 000007
【図７】
0005892982.tif 000008
【図８】
0005892982.tif 000009
【図９】
0005892982.tif 000010
【図１０】
0005892982.tif 000011
【図１１】
0005892982.tif 000012
【図１２】
0005892982.tif 000013
【図１３】
0005892982.tif 000014
【図１４】
0005892982.tif 000015
【図１５】
0005892982.tif 000016
【図１６】
0005892982.tif 000017
【図１７】
0005892982.tif 000018
【図１８】
0005892982.tif 000019
【図１９】
0005892982.tif 000020
【図２０】
0005892982.tif 000021
【図２１】
0005892982.tif 000022